(57)【要約】【課題】シート状物を引き出し可能な状態で巻き取り状に保持する巻き取り機構において、巻き取り時には一定の制動を巻き取り軸に付与するようにすると共に、引き出し時にはこうした制動を全く付与しないようにして、シート状物の引き出しを抵抗なく行えるようにする。【解決手段】シート状物Ｓの一端が止着されるこのシート状物Ｓの巻き取り軸１と、巻き取り軸１を、巻き取り軸１にシート状物Ｓが巻き取られる正転方向ｆに向けて、常時付勢する付勢手段２と、巻き取り軸１の正転に対してのみ一定の制動を付与する制動手段３とを備えている。【選択図】      図１
2004217367.tif 000002
【特許請求の範囲】
【請求項１】
シート状物の一端が止着されるこのシート状物の巻き取り軸と、
この巻き取り軸を、この巻き取り軸にシート状物が巻き取られる正転方向に向けて、常時付勢する付勢手段と、
巻き取り軸の前記正転に対してのみ一定の制動を付与する制動手段とを備えていることを特徴とするシート状物の巻き取り機構。
【請求項２】
制動手段が、
巻き取り軸に組み付けられてこの巻き取り軸の回転に伴って回転される内側回転体と、
内側回転体を内方に納めた状態で回転可能とされる外側回転体と、
外側回転体を納めるケース体と、
内側回転体の外周側から回転中心側に向けて窪んだ凹部に納められる遊星ギア体とを備えており、
外側回転体の内壁部には、遊星ギア体に噛み合う周回状ラック部が設けてあり、
外側回転体とケース体との間には隙間が形成されていると共に、この隙間には粘性流体が封入されており、
しかも、巻き取り軸の正転に伴う内側回転体の正転時に、遊星ギア体の回転が規制されるようにしてあることを特徴とする請求項１記載のシート状物の巻き取り機構。
【請求項３】
巻き取り軸の両端部にそれぞれ制動手段が備えられていることを特徴とする請求項１又は請求項２記載のシート状物の巻き取り機構。
【発明の詳細な説明】
【０００１】
【発明の属する技術分野】
この発明は、各種のシート状物を引き出し可能な状態で巻き取り状に保持する巻き取り機構の改良に関する。
【０００２】
【従来の技術】
特許文献１に示されるように、トノカバー装置において、巻き取り軸の収納ボックスの内壁部に、このトノカバーに弾性的に接するバネ部材を設けたものがある。
【０００３】
【特許文献１】
実開昭５９−１８５１４８号公報
【０００４】
【発明が解決しようとする課題】
しかるに、特許文献１のものにあっては、トノカバーの引き出し時にもバネ部材による制動が作用されてしまう。
【０００５】
特許文献１の第３図に示される形態では、制動は引き出しの最初の段階で作用されるに留まるが、トノカバーの引き出し時に制動が作用される状態があることには変わりがない。
【０００６】
また、特許文献１のものでは、巻き取り軸に対する制動力がトノカバーの引き出し量に応じて可変し易く、特に巻き取り速度を一定にし難いものであった。
【０００７】
そこで、この発明は、シート状物を引き出し可能な状態で巻き取り状に保持する巻き取り機構において、巻き取り時には一定の制動を巻き取り軸に付与するようにすると共に、引き出し時にはこうした制動を全く付与しないようにして、シート状物の引き出しを抵抗なく行えるようにすることを主たる目的とする。
【０００８】
【課題を解決するための手段】
前記目的を達成するために、請求項１記載の発明にあっては、シート状物の巻き取り機構を、
シート状物の一端が止着されるこのシート状物の巻き取り軸と、
この巻き取り軸を、この巻き取り軸にシート状物が巻き取られる正転方向に向けて、常時付勢する付勢手段と、
巻き取り軸の前記正転に対してのみ一定の制動を付与する制動手段とを備えているものとした。
【０００９】
かかる構成によれば、シート状物の引き出し操作にあたっては巻き取り軸を抵抗少なく逆転させることができ、この引き出しをスムースに行わせることができる。一方、引き出されたシート状物の他端側の把持や一次的な固定を解くことにより巻き取り軸の正転が許容されると、この巻き取り軸の正転を自動的に開始させ、かかるシート状物を巻き取ることができると共に、この巻き取りの勢いを減殺させて巻き取りにあたっての各部材の強いぶつかりや、破損などを生じさせないようにすることができる。また、違和感のないシート状物の巻き取りを演出させることができる。
【００１０】
また、請求項２記載の発明にあっては、請求項１記載のシート状物の巻き取り機構における制動手段が、
巻き取り軸に組み付けられてこの巻き取り軸の回転に伴って回転される内側回転体と、
内側回転体を内方に納めた状態で回転可能とされる外側回転体と、
外側回転体を納めるケース体と、
内側回転体の外周側から回転中心側に向けて窪んだ凹部に納められる遊星ギア体とを備えており、
外側回転体の内壁部には、遊星ギア体に噛み合う周回状ラック部が設けてあり、
外側回転体とケース体との間には隙間が形成されていると共に、この隙間には粘性流体が封入されており、
しかも、巻き取り軸の正転に伴う内側回転体の正転時に、遊星ギア体の回転が規制されるようにしてあることを特徴としている。
【００１１】
かかる構成によれば、巻き取り軸の逆転時には、この巻き取り軸の逆転により外側回転体内で逆転される内側回転体により押圧される遊星ギア体を外側回転体の周回状ラック部に沿って回転させながら走行させることができ、この逆転時には内側回転体の回転によって外側回転体が回転にしないようにすることができる。粘性流体は外側回転体とケース体との間の隙間に封入されていることから、内側回転体の逆転、つまり、巻き取り軸の逆転に制動を付与させることがない。つまり、シート状体の引き出し操作に対し抵抗を生じさせない状態を確実に作り出すことができる。
【００１２】
一方、巻き取り軸の正転時には、この巻き取り軸の正転により外側回転体内で正転される内側回転体により押圧される遊星ギア体の回転を規制することができる。このように遊星ギア体の回転が規制されると、外側回転体の周回状ラック部に噛み合っている遊星ギア体を通じて、この正転時には内側回転体の回転によって外側回転体も回転するようにすることができる。このように外側回転体が回転されると前記粘性流体により、外側回転体の内側回転体の正転、つまり、巻き取り軸の正転に制動が付与される。つまり、引き出されたシート状体の付勢手段による自動的な巻き取り動作に対し抵抗を生じさせる状態を確実に作り出すことができる。
【００１３】
また、請求項３記載の発明にあっては、請求項１又は請求項２記載のシート状物の巻き取り機構における巻き取り軸の両端部にそれぞれ制動手段が備えられていることを特徴としている。
【００１４】
かかる構成によれば、巻き取り軸が正転された際の制動手段による制動を巻き取り軸の両端部においてそれぞれ生じさせることができることから、巻き取り軸の正転を安定ならしめると共に、この巻き取り軸の正転に対しより適切な制動を付与させることができる。
【００１５】
【発明の実施の形態】
以下、図１ないし図９に基づいて、この発明の典型的な実施の形態について説明する。
【００１６】
なお、ここで図１は、巻き取り機構の概要を理解し易いように、この機構を構成する各部材を分離して示しており、また、図２は、かかる機構を構成する制動手段３の組み込み側を、また、図３は、かかる機構を構成する付勢手段２の組み込み側を、それぞれ断面にして示している。また、図４ないし図９は、制動手段３をそれぞれ示しており、ここで図８は、巻き取り軸１が正転されている場合の制動手段３の内部の様子を、また、図９は、巻き取り軸１が逆転されている場合の制動手段３の内部の様子を、それぞれ示している。
【００１７】
この実施の形態にかかる巻き取り機構は、各種のシート状物Ｓを引き出し可能な状態で巻き取り状に保持するものである。
【００１８】
かかるシート状物Ｓとしては、各種の織生地、編み生地、網状体、合成樹脂製のシートなどを予定するものである。
【００１９】
また、かかる巻き取り機構は、トノカバーとなるシート状物Ｓ、サンシェードとなるシート状物Ｓ、ブラインドとなるシート状物Ｓなどを引き出し可能な状態で巻き取り状に保持するように用いることができる。
【００２０】
かかる巻き取り機構は、
（１）巻き取り軸１と、
（２）付勢手段２と、
（３）制動手段３とを備えている。
【００２１】
巻き取り軸１は、シート状物Ｓの一端が止着されるようになっている。そして、このように止着されたシート状物Ｓを、巻き取り軸１の正転によって巻き取り、また、巻き取られたシート状物Ｓの他端を把持してこのシート状物Ｓを引っ張るように操作した際には、このように引っ張られたシート状物Ｓの引き出しを巻き取り軸１の逆転によって許容させるようになっている。
【００２２】
付勢手段２は、かかる巻き取り軸１を、この巻き取り軸１にシート状物Ｓが巻き取られる正転方向ｆに向けて、常時付勢するようになっている。すなわち、かかる付勢手段２によって、前記のように引き出されたシート状物Ｓの他端側の把持や一次的な固定を解くと、巻き取り軸１の正転が許容されると共に、この巻き取り軸１の正転が自動的になされ、かかるシート状物Ｓが巻き取り軸１に巻き取られるようになっている。引き出されたシート状物Ｓの他端側の一次的な固定は、典型的には、このシート状物Ｓの他端に設けたフックなどを、シート状物Ｓの引き出し先側にある壁面などに設けた被引っ掛け部などに掛合させることによりなすことができる。例えば、シート状物Ｓがトノカバーとして用いられる場合にあっては、車両のバックドア側に前記被引っ掛け部を設けておき、このシート状物Ｓのフックをこの引っ掛け部に掛合させることにより、車両の後部収納部の上方をこのシート状物Ｓによって覆ったシート状物Ｓの引き出し状態を維持させることができる。かかるフックの掛合を解くとシート状物Ｓは前記のように巻き取られ、車両の後部収納部の覆い状態はワンタッチで解かれる。
【００２３】
制動手段３は、巻き取り軸１の前記正転に対してのみ一定の制動を付与するように構成されている。すなわち、制動手段３は、巻き取り軸１の前記逆転に対しては積極的な制動を付与しないように構成されている。
【００２４】
これにより、この実施の形態にかかる巻き取り機構によれば、シート状物Ｓの引き出し操作にあたっては巻き取り軸１を抵抗少なく逆転させることができ、この引き出しをスムースに行わせることができる。一方、引き出されたシート状物Ｓの他端側の把持や一次的な固定を解くことにより巻き取り軸１の正転が許容されると、この巻き取り軸１の正転を自動的に開始させ、かかるシート状物Ｓを巻き取ることができると共に、この巻き取りの勢いを減殺させて巻き取りにあたっての各部材の強いぶつかりや、破損などを生じさせないようにすることができる。また、違和感のないシート状物Ｓの巻き取りを演出させることができる。
【００２５】
かかる制動手段３を、巻き取り軸１の両端部にそれぞれ備えさせておくようにしてあることもある。
【００２６】
このようにした場合、巻き取り軸１が正転された際の制動手段３による制動を巻き取り軸１の両端部においてそれぞれ生じさせることができることから、巻き取り軸１の正転を安定ならしめると共に、この巻き取り軸１の正転に対しより適切な制動を付与させることができる。
【００２７】
図示の例では、巻き取り軸１は、両端を開放させた中空の筒状体として構成されている。シート状物Ｓは、その幅方向に沿った一方の縁部、つまり、一端部をこの巻き取り軸１の軸線方向に沿わせるようにして、この巻き取り軸１の外周部に止着されるようになっている。
【００２８】
図示の例では、かかる巻き取り軸１は、前記シート状物Ｓの引き出しスリット４１を長さ方向に沿って備えた細長いメインケース４内に回転可能に納められている。
【００２９】
また、図示の例にあっては、かかるメインケース４の一端部において、巻き取り軸１の一端が回転可能に軸支されると共に、かかるメインケース４の他端部において、制動手段３を構成する後述する内側回転体３０のジョイント部３０ｄを介して、巻き取り軸１の他端が回転可能に軸支されるようになっている。
【００３０】
また、図示の例にあっては、付勢手段２は、巻き取り軸１の一端側からこの巻き取り軸１の内部に入れ込まれたコイルバネ２０によって構成されている。図示の例にあっては、このコイルバネ２０の一端２０ａは巻き取り軸１の一端からこの巻き取り軸１内に入り込んでこの巻き取り軸１の一端を軸支しているメインケース４の一端部に設けられた軸体４２に止着され、かつ、このコイルバネ２０の他端２０ｂは巻き取り軸１の内部に止着されている。そして、巻き取り軸１が逆転されることにより、かかるコイルバネ２０が弾性的に縮径され、このコイルバネ２０に巻き取り軸１に対する正転方向ｆの付勢力が畜勢されるようになっている。
【００３１】
一方、図示の例にあっては、制動手段３は、
（１）内側回転体３０と、
（２）外側回転体３１と、
（３）ケース体３２と、
（４）遊星ギア体３３と、
（５）粘性流体（図示は省略する。）とを備えて構成されている。
【００３２】
内側回転体３０は、巻き取り軸１に組み付けられてこの巻き取り軸１の回転に伴って回転されるように構成されている。
【００３３】
図示の例にあっては、一面を開放させたケースベース３２ａと、このケースベース３２ａの開放部３２ｂの外縁部を前方から塞ぐ前面に大きな貫通穴３２ｅを備えた蓋体３２ｄとによって、前記ケース体３２が構成されていると共に、このケースベース３２ａに外側回転体３１を納めた後、この外側回転体３１の内方に内側回転体３０を納め、この後さらに、ケースベース３２ａの開放部３２ｂを塞ぐようにこのケースベース３２ａに蓋体３２ｄを組み付けることにより、制動手段３をアッセンブリーするようにしてある。このようにアッセンブリーされた制動手段３は、図示の例にあっては、メインケース４の他端部を塞ぐホルダー４３内にはめ込まれ、このホルダー４３をメインケース４の他端部に止め付けることにより、メインケース４に対して組み付けられるようになっている。
【００３４】
内側回転体３０は、その回転軸ｘに直交する向きにある二つの面の一方（以下、内側回転体３０の前面３０ａという。）を蓋体３２ｄの内面に向き合わせ、かつ、この二つの面の他方（以下、内側回転体３０の背面３０ｂという。）を外側回転体３１の後述する底面３１ａに向き合わせ、かつ、この二つの面の間にある側面３０ｃを外側回転体３１の内壁部３１ｂに向き合わせるようにして、組み込まれている。
【００３５】
内側回転体３０の前面３０ａには、この内側回転体３０の回転軸ｘに沿う向きに突き出すジョイント部３０ｄが一体に設けられている。図示の例では、このジョイント部３０ｄは筒一端を内側回転体３０の前面３０ａに一体に連接させた筒状をなすように構成されており、前記蓋体３２ｄの中央に形成された貫通穴３２ｅから外方に突き出すようになっている。そして、図示の例では、巻き取り軸１の他端からこの巻き取り軸１内にこのジョイント部３０ｄを入れ込ませることにより、この内側回転体３０を介して前記メインケース４の他端部に対し巻き取り軸１の他端が軸支されるようになっている。図示の例にあっては、このジョイントの外周部に、このジョイント部３０ｄの筒軸線に沿って延びる位置決めリブ３０ｅが形成してあると共に、巻き取り軸１の他端には、この巻き取り軸１の他端開放部３２ｂにおいて外方に開放されてこの巻き取り軸１の回転軸線に沿って延びる割溝１０が形成してあり、この位置決めリブ３０ｅをこの割溝１０に入れ込ませるようにして巻き取り軸１内にジョイント部３０ｄを入れ込ませることにより、巻き取り軸１と内側回転体３０とを一体化させるようにしている。
【００３６】
また、内側回転体３０の背面３０ｂであって、この内側回転体３０の回転中心位置には、この内側回転体３０の前面３０ａ側に向けて窪み込んだ軸穴３０ｆが形成されている。
【００３７】
一方、外側回転体３１は、内側回転体３０を内方に納めた状態でケース体３２内において回転可能となっている。図示の例では、かかる外側回転体３１は、ケースベース３２ａの内側面に向き合う周回側板部３１ｃと底板部３１ｄとを有し、底板部３１ｄと反対の開放側からその内方に内側回転体３０を納め入れるように構成されている。それと共に、外側回転体３１の底板部３１ｄによって構成される底面３１ａであって、この外側回転体３１の回転中心位置には、軸突部３１ｅが形成されている。そして、図示の例にあっては、この軸突部３１ｅを内側回転体３０の軸穴３０ｆに入れ込ませた状態で、外側回転体３１内に内側回転体３０が納められるようになっており、内側回転体３０は外側回転体３１の軸突部３１ｅを中心として回転されるようになっている。
【００３８】
また、図示の例では、ケースベース３２ａの底部のほぼ中央に軸凹部３２ｃが形成してあると共に、外側回転体３１の底板部３１ｄの外面側であってこの外側回転体３１の回転中心位置にこの軸凹部３２ｃに入り込む軸突部３１ｆが形成してある。
【００３９】
また、内側回転体３０は、内側回転体３０の外周側から回転中心側に向けて窪んだ凹部３０ｇを有している。そして、前記遊星ギア体３３は、この内側回転体３０の凹部３０ｇに納められるようになっている。
【００４０】
また、外側回転体３１の内壁部（周回側板部３１ｃの内側面部）には、遊星ギア体３３に噛み合う周回状ラック部３１ｇが設けてある。
【００４１】
そして、前記巻き取り軸１の正転に伴う内側回転体３０の正転時に、遊星ギア体３３の回転が規制されるようにしてある。
【００４２】
また、外側回転体３１とケース体３２との間には隙間３４が形成されていると共に、この隙間３４には図示しない粘性流体が封入されている。
【００４３】
具体的には、図示の例にあっては、外側回転体３１の底板部３１ｄの外面とケースベース３２ａの底部との間に隙間３４が形成されており、この隙間３４にシリコンオイルなどの粘性流体を封入させている。図示の例では、かかる外側回転体３１の周回側板部３１ｃの先端外側にシールリング３５がはめ付けられており、この粘性流体がケースベース３２ａの開放部３２ｂから漏れ出さないようにしてある。
【００４４】
また、図示の例にあっては、内側回転体３０には三カ所の凹部３０ｇ‥３０ｇが形成してある。各凹部３０ｇ‥３０ｇ間のピッチは、内側回転体３０の回転軸を巡る向きにおいてほぼ等しくなるようにしてある。また、各凹部３０ｇ‥３０ｇはいずれもほぼ同寸同形となるように構成してある。
【００４５】
かかる凹部３０ｇは、内側回転体３０の側面と、内側回転体３０の前面３０ａおよび背面において外方に開放されている。
【００４６】
また、かかる凹部３０ｇは、内側回転体３０の逆転時に凹部３０ｇに納められた遊星ギア体３３を押圧する凹部３０ｇ壁面を、この遊星ギア体３３の外周円、つまり、ギア歯の先端を通る仮想の円の円弧に沿った円弧面３０ｈとしている。
【００４７】
また、かかる凹部３０ｇは、内側回転体３０の正転時に凹部３０ｇに納められた遊星ギア体３３を押圧する凹部３０ｇ壁面を、この遊星ギア体３３の外周円に対する接線であって、遊星ギア体３３の回転中心と内側回転体３０の回転中心とを通る仮想の直線にほぼ沿ったストレート面３０ｉとしている。そして、このストレート面３０ｉと内側回転体３０の外周面との間に、このストレート面３０ｉが遊星ギア体３３に押し付けられる前記正転時に、遊星ギア体３３の外周円よりもやや内方に入り込むコーナー部３０ｊが形成されている。
【００４８】
すなわち、凹部３０ｇの円弧面３０ｈとストレート面３０ｉ間のピッチは、遊星ギア体３３の前記外周円の径よりもわずかに広くなっており、また、遊星ギア体３３は内側回転体３０及び外側回転体３１のいずれにも軸支されていない。
【００４９】
一方、三カ所の凹部３０ｇに納められる遊星ギア体３３は、いずれもほぼ同寸同形をなすように構成されている。また、いずれの遊星ギア体３３も、内側回転体３０の凹部３０ｇ内に、この遊星ギア体３３の回転軸ｘ’を内側回転体３０の回転軸ｘにほぼ沿わせる向きで、納められている。
【００５０】
そして、内側回転体３０の凹部３０ｇの底と外側回転体３１の内壁部との間のピッチが遊星ギア体３３の径とほぼ等しくなうように構成してある。
【００５１】
これにより、この実施の形態にあっては、巻き取り軸１の逆転時には、この巻き取り軸１の逆転により外側回転体３１内で逆転される内側回転体３０により押圧される遊星ギア体３３を外側回転体３１の周回状ラック部３１ｇに沿って回転させながら走行させることができ、この逆転時には内側回転体３０の回転によって外側回転体３１が回転にしないようにすることができる。（図９）粘性流体は外側回転体３１とケース体３２との間の隙間３４に封入されていることから、内側回転体３０の逆転、つまり、巻き取り軸１の逆転に制動を付与させることがない。つまり、シート状体の引き出し操作に対し抵抗を生じさせない状態を確実に作り出すことができる。
【００５２】
具体的には、このように内側回転体３０が逆転されると、遊星ギア体３３に対し内側回転体３０は前記凹部３０ｇの円弧面３０ｈを押し付けさせることになるが、この円弧面３０ｈは遊星ギア体３３の外周円に沿った面であることから、この押し付けによって遊星ギア体３３の回転が妨げられることはなく、遊星ギア体３３は前記周回状ラック部３１ｇに沿って回転しながら走行し、周回状ラック部３１ｇ側、つまり、外側回転体３１を回転させることがない。
【００５３】
一方、巻き取り軸１の正転時には、この巻き取り軸１の正転により外側回転体３１内で正転される内側回転体３０により押圧される遊星ギア体３３の回転を規制することができる。このように遊星ギア体３３の回転が規制されると、外側回転体３１の周回状ラック部３１ｇに噛み合っている遊星ギア体３３を通じて、この正転時には内側回転体３０の回転によって外側回転体３１も回転するようにすることができる。（図８）このように外側回転体３１が回転されると前記粘性流体により、外側回転体３１の内側回転体３０の正転、つまり、巻き取り軸１の正転に制動が付与される。つまり、引き出されたシート状体の付勢手段２による自動的な巻き取り動作に対し抵抗を生じさせる状態を確実に作り出すことができる。
【００５４】
具体的には、このように内側回転体３０が正転されると、遊星ギア体３３に対し内側回転体３０は前記凹部３０ｇのストレート面３０ｉを押し付けさせることになると共に、このストレート面３０ｉと内側回転体３０の外周面との接し合うコーナー部３０ｊ、つまり、凹部３０ｇの入り口にあるコーナー部３０ｊの一方が遊星ギア体３３の隣り合うギア歯間に入り込むことから、この押し付けによって遊星ギア体３３の回転は規制され、この遊星ギア体３３に周回状ラック部３１ｇを噛み合わせている外側回転体３１は内側回転体３０と同じ向きに回転される。
【００５５】
【発明の効果】
この発明にかかるシート状物の巻き取り機構によれば、巻き取り時には一定の制動を巻き取り軸に付与することができると共に、引き出し時にはこうした制動を全く付与しないようにして、シート状物の引き出しを抵抗なく行えるようにすることができる。
【図面の簡単な説明】
【図１】巻き取り機構の概要を示す斜視構成図
【図２】同要部断面構成図
【図３】同要部断面構成図
【図４】制動手段３の平面図
【図５】同側面図
【図６】同底面図
【図７】図４におけるＡ−Ａ線断面図
【図８】図７におけるＢ−Ｂ線断面図（正転時）
【図９】図７におけるＢ−Ｂ線断面図（逆転時）
【符号の説明】
Ｓ  シート状物
ｆ  正転方向
１  巻き取り軸
２  付勢手段
３  制動手段
【図１】
2004217367.tif 000003
【図２】
2004217367.tif 000004
【図３】
2004217367.tif 000005
【図４】
2004217367.tif 000006
【図５】
2004217367.tif 000007
【図６】
2004217367.tif 000008
【図７】
2004217367.tif 000009
【図８】
2004217367.tif 000010
【図９】
2004217367.tif 000011